(57)【要約】【課題】接点を確実に離間させると共に、接点開離スピードを速めて耐久性向上を可能とする。【解決手段】ハウジング３５側に支持され反転ばねで形成されてばね力により反転変形可能な一対の接点板３７ａ，３７ｂ、接点板３７ｃ，３７ｄと、各接点板３７ａ，３７ｂ，３７ｃ，３７ｄに設けられて対向配置され相互に接離して電流の給断を行う可動接点６５と、ハウジング３５側に支持され各接点板３７ａ，３７ｂ，３７ｃ，３７ｄに接しながらスイッチノブの操作に基づき各接点板３７ａ，３７ｂ，３７ｃ，３７ｄに対する接触位置を変える接触部材３９ａ，３９ｂとを備え、スイッチノブの操作に基づき接触部材３９ａ，３９ｂが各接点板３７ａ，３７ｂ，３７ｃ，３７ｄに対し接触位置を変えて各接点板３７ａ，３７ｂ，３７ｃ，３７ｄの反転変形及び反転変形の復帰による接近離反変位により可動接点６５を接離させることを特徴とする。【選択図】　　　図１
2004111261.tif 000002
【特許請求の範囲】
【請求項１】
ハウジング側に支持され反転ばねで形成されてばね力により反転変形可能な一対の接点板と、
前記各接点板に設けられて対向配置され相互に接離して電流の給断を行う可動接点と、
前記ハウジング側に支持され前記各接点板に接しながらスイッチノブの操作に基づき各接点板に対する接触位置を変える接触部材とを備え、
前記スイッチノブの操作に基づき前記接触部材が前記各接点板に対し接触位置を変えて各接点板の反転変形及び反転変形の復帰による接近離反変位により前記可動接点を接離させることを特徴とするスイッチ。
【請求項２】
請求項１記載のスイッチであって、
前記各接点板は、湾曲した反転部と該反転部と同方向に湾曲し中間部に撓み部を備えた接触作用部とからなり、一端部が前記ハウジング側に支持され他端部に前記可動接点をそれぞれ備え、
前記スイッチノブの操作に基づき前記接触部材が前記各接点板の各接触作用部に対し接触位置を変えて各接触作用部の撓み部を撓め、該撓みに基づく各反転部の反転変形及び反転変形の復帰により前記可動接点を接離させることを特徴とするスイッチ。
【請求項３】
請求項２記載のスイッチであって、
前記反転部は、前記接触作用部の両側に形成され、
前記可動接点は、前記接触作用部の先端側に配置されていることを特徴とするスイッチ。
【発明の詳細な説明】
【０００１】
【発明の属する技術分野】
本発明は、自動車のパワーウインドウ、パワーシートの電流を断続するため等に用いられるスイッチに関する。
【０００２】
【従来の技術】
従来のスイッチとしては、例えば図７、図８に記載されたようなものがある。図７はシーソースイッチの断面図、図８はスライドスイッチの断面図である。
【０００３】
図７、図８のスイッチは、いずれも自動車のパワーウインドウ装置などに用いられ、電動機の正逆切替等に用いられる。
【０００４】
まず図７のシーソースイッチ１０１はスイッチノブ１０３を備え、該スイッチノブ１０３はケース１０５に揺動操作可能に支持されている。スイッチノブ１０３には、接触部材支持部１０７が設けられている。接触部材支持部１０７には、接触部材１０９が支持され、コイルスプリング１１１で付勢されている。
【０００５】
前記ケース１０５内には、常開接点側の固定接点１１３、常閉接点側の固定接点１１５が設けられている。またケース１０５内には、回路体から立ち上げられた接点板支持部１１７が立ち上げられている。この接点板支持部１１７には接点板１１９が揺動可能に支持されている。
【０００６】
前記接点板１１９の端部には、前記固定接点１１３に接離する常開接点側の可動接点１２１と、前記固定接点１１５に接離する常閉接点側の可動接点１２３が設けられている。
【０００７】
前記固定接点１１５はアース接続され、前記可動接点１２３が固定接点１１５に接触している図７の状態では、パワーウインドウモータの駆動回路は開となっている。
【０００８】
次にスイッチノブ１０３を揺動操作すると、スイッチノブ１０３の接触部材１０９が接点板１１９に対する弾接位置を変える。接触部材１０９の接点板１１９に対する弾接位置が接点板支持部１１７を越えて常開接点側へ移動すると、接点板１１９が揺動し、可動接点１２１が固定接点１１３に接触する。この接触により、固定接点１１３、可動接点１２１、接点板１１９、接点板支持部１１７、回路体の閉回路が形成され、パワーウインドウモータに電流が供給される。この電流の供給によってパワーウインドウモータが回転し、パワーウインドウが動作する。
【０００９】
前記スイッチノブ１０３を逆方向へ揺動操作すると、スイッチノブ１０３、接点板１１９が図７の位置へ復帰し、可動接点１２１が固定接点１１３から離れ、可動接点１２３が固定接点１１５に再び接触する。従って、パワーウインドウモータの駆動回路は開となり、パワーウインドウの動作が停止する（例えば、特許文献１参照。）。
【００１０】
図８のスライドスイッチ１２５ではスイッチノブ１２７を備え、該スイッチノブ１２７はケース１２９に揺動操作可能に支持されている。前記ケース１２９内には、固定接点を備えた回路板１３１上にスライダ１３３が備えられている。スライダ１３３は前記スイッチノブ１２７の揺動操作に連動してスライドする構成となっている。スライダ１３３には可動接点１３５，１３７が設けられている。
【００１１】
そして前記スイッチノブ１２７の操作によって、スライダ１３３を回路基板１３１上でスライドさせると、可動接点１３５，１３７が固定接点に対し接離し、パワーウインドウモータに対し電流を給断することができ、パワーウインドウを動作させると共にその動作を停止させることができる（例えば、特許文献２参照。）。
【００１２】
【特許文献１】
特開平９−２５９７０４号公報
【特許文献２】
特開２００１−１５９２７０号公報
【００１３】
【発明が解決しようとする課題】
しかしながら、上記図７のようなスイッチでは、スイッチノブ１０３側の接触部材支持部１０７と接点板１１９に弾接する接触部材１０９との相対位置が、弾接方向にのみ変位可能な構成となっているため、スイッチノブ１０３の揺動変位と接触部材１０９の接点板１１９に対する弾接ポイントの変位とが１対１となっている。また図８のスライドスイッチ１２５においても、スイッチノブ１２７の変位とスライダ１３３の変位とが１対１となっている。
【００１４】
従って、図７のシーソースイッチでは、固定接点１１３に対する可動接点１２１の接点開離スピード、すなわち可動接点１２１が固定接点１１３に接触している状態から離れるときのスピードは、スイッチノブ１０３の操作スピードによって決まることになる。また図８のスライドスイッチ１２５においても、固定接点に対する可動接点１３５，１３７の接点開離スピードは、スイッチノブ１２７の操作スピードによって決まることになる。
【００１５】
このためスイッチノブ１０３，１２７の操作スピードが遅くなったり、可動接点と固定接点との間隔が狭い状態でスイッチノブ１０３，１２７の操作が停止されると、図７のシーソースイッチ１０１では、近接する可動接点１２１と固定接点１１３との間にアーク放電が発生し、図８のスライドスイッチ１２５においても近接する可動接点１３５或いは１３７と回路板１３１側の固定接点との間にアーク放電が発生し、接点を消耗させて耐久性が低下するという問題があった。このため接点開離スピードをより速め、或いはスイッチノブの操作を途中で停止しても接点を確実に離間させるようにすることが課題となっていた。
【００１６】
本発明は、接点を確実に離間させると共に接点開離スピードを速め、アーク放電を抑制して、耐久性の高いスイッチの提供を課題とする。
【００１７】
【課題を解決するための手段】
請求項１の発明は、ハウジング側に支持され反転ばねで形成されてばね力により反転変形可能な一対の接点板と、前記各接点板に設けられて対向配置され相互に接離して電流の給断を行う可動接点と、前記ハウジング側に支持され前記各接点板に接しながらスイッチノブの操作に基づき各接点板に対する接触位置を変える接触部材とを備え、前記スイッチノブの操作に基づき前記接触部材が前記各接点板に対し接触位置を変えて各接点板の反転変形及び反転変形の復帰による接近離反変位により前記可動接点を接離させることを特徴とする。
【００１８】
請求項２の発明は、請求項１記載のスイッチであって、前記各接点板は、湾曲した反転部と該反転部と同方向に湾曲し中間部に撓み部を備えた接触作用部とからなり、一端部が前記ハウジング側に支持され他端部に前記可動接点をそれぞれ備え、前記スイッチノブの操作に基づき前記接触部材が前記各接点板の各接触作用部に対し接触位置を変えて各接触作用部の撓み部を撓め、該撓みに基づく各反転部の反転変形及び反転変形の復帰により前記可動接点を接離させることを特徴とする。
【００１９】
請求項３の発明は、請求項２記載のスイッチであって、前記反転部は、前記接触作用部の両側に形成され、前記可動接点は、前記接触作用部の先端側に配置されていることを特徴とする。
【００２０】
【発明の効果】
請求項１の発明では、ハウジングに支持され反転ばねで形成されてばね力により反転変形可能な一対の接点板と、前記各接点板に設けられて対向配置され相互に接離して電流の給断を行う可動接点と、前記ハウジング側に支持され前記各接点板に接しながらスイッチノブの操作に基づき各接点板に対する接触位置を変える接触部材とを備え、前記スイッチノブの操作に基づき前記接触部材が前記各接点板に対し接触位置を変えて各接点板の反転変形及び反転変形の復帰による接近離反変位により前記可動接点を接離させることができる。
【００２１】
そして、接点開離スピードはスイッチノブの操作スピードに拘わらず、接点板の反転変形の復帰作用に依存するため、スイッチノブの操作を遅くしても可動接点相互の接点開離スピードを速くすることができる。またスイッチノブの操作を途中で停止しても可動接点相互の離間を行わせることが可能となる。しかも、一対の接点板がそれぞれ反転変形の復帰をして可動接点相互が離反するため、可動接点相互間のギャップを大きくとることができる。これらにより、接点間のアーク放電が抑制され、接点消耗を抑制し、耐久性を高めることができる。
【００２２】
請求項２の発明では、請求項１の発明の効果に加え、前記各接点板は、湾曲した反転部と該反転部と同方向に湾曲し中間部に撓み部を備えた接触作用部とからなり、一端部が前記ハウジング側に支持され他端部に前記可動接点をそれぞれ備え、前記スイッチノブの操作に基づき前記接触部材が前記各接点板の各接触作用部に対し接触位置を変えて各接触作用部の撓み部を撓め、該撓みに基づく各反転部の反転変形及び反転変形の復帰により前記可動接点を接離させることができる。
【００２３】
従って、各接触作用部の変位を少なくしながら反転部の反転変形及び反転変形の復帰を確実に行わせることができる。このため、狭いスペースでも各接点板の反転変形及び反転変形の復帰を確実に行わせることができ、スイッチ全体をコンパクトに形成することができる。
【００２４】
請求項３の発明では、請求項２の発明の効果に加え、前記反転部は前記接触作用部の両側に形成されているため、力のバランスが良く、接触作用部によって反転部を確実に反転させることができる。また可動接点は前記各接触作用部の先端側に配置されているため、反転部の反転復帰によって接点開離スピードを確実に速くすることができ、また可動接点相互間のギャップを確実に確保することができる。
【００２５】
【発明の実施の形態】
図１は本発明の一実施形態に係るスイッチとしてパワーウインドウスイッチの一部を示す断面図、図２は異なった位置における断面図である。図１，図２のように、パワーウインドウスイッチ１はスイッチノブ３を備えている。スイッチノブ３には図１のように操作レバー部５が設けられている。前記スイッチノブ３は、前記操作レバー部５の中間部においてケース７のノブ取付部９に支持ピン１１によって揺動自在に支持されている。
【００２６】
前記ノブ取付部９内には、図２のように節度ボール支持筒１３が設けられ、該節度ボール支持筒１３の先端に節度ボール１５が支持されている。節度ボール支持筒１３内にはコイルスプリング１７が収容され、節度ボール１５を付勢して前記スイッチノブ３の節度溝１９に弾接させている。従って、スイッチノブ３は矢印Ａのように押し込み、或いは引き上げることによって前記支持ピン１１を中心に揺動操作可能となっている。
【００２７】
また節度ボール１５が節度溝１９に弾接することにより、スイッチノブ３の揺動操作に節度感を与えると共に、スイッチノブ３から指を離したときに、節度溝１９に対する節度ボール１５の弾接によって、スイッチノブ３が図１，図２の中立位置に自動復帰するようになっている。
【００２８】
前記ケース７内には、回路基板２１が設けられている。回路基板２１に対しモジュールスイッチ２３が取り付けられている。モジュールスイッチ２３には、複数の端子２５が突設され、前記回路基板２１を貫通し、回路基板２１上で半田付けなどにより回路接続されている。
【００２９】
前記モジュールスイッチ２３と回路基板２１との間に、スライダ２７が設けられている。スライダ２７は、回路基板２１に沿って移動可能に支持されている。スライダ２７の一側面には、操作凹部２９が設けられている。操作凹部２９には回路基板２１の貫通穴３１を貫通する前記操作レバー部５が嵌合している。スライダ２７の他側面には、一対のカム凹部３３ａ，３３ｂが設けられている。カム凹部３３ａ，３３ｂは、平坦なスライド部３４ａと傾斜した乗上部３４ｂとからなっている。スライダ２７は回路基板２１に沿って移動することにより、カム凹部３３ａ，３３ｂを介し前記モジュールスイッチ２３を動作させるものである。
【００３０】
前記モジュールスイッチ２３を図３〜図５をも参照してさらに説明する。図３はモジュールスイッチの分解斜視図、図４は平面図、図５は図４のＳＡ−ＳＡ矢視断面図である。
【００３１】
図１〜図５のように、モジュールスイッチ２３にはハウジング３５内に接点板３７ａ，３７ｂ，３７ｃ，３７ｄと接触部材３９ａ，３９ｂとが備えられている。
【００３２】
前記ハウジング３５の一側面には開口４１が設けられ、該開口４１は着脱自在のカバー４３によって閉塞されるようになっている。前記ハウジング３５の壁部４５ａ，４５ｂ外面には係止爪４７が設けられている。前記カバー４３には係合窓４９が設けられている。カバー４３は係合窓４９がハウジング３５の係止爪４７に係止されることにより着脱自在に取り付けられ、前記開口４１を閉塞する構成となっている。
【００３３】
前記ハウジング３５内には、接点板支持部５１ａ，５１ｂ，５１ｃが設けられている。接点板支持部５１ａ，５１ｃには、接点板３７ａ，３７ｄの板厚１枚分の隙間で形成されたＬ字状及び逆Ｌ字状の嵌合溝５３ａ，５３ｂが設けられている。接点板支持部５１ｂには接点板３７ｂ，３７ｃの板厚２枚分の縦溝と板厚１枚分の横溝とからなる逆Ｔ字状の嵌合溝５３ｃが設けられている。各接点板支持部５１ａ，５１ｂ，５１ｃの下部側には図５のように接点ストッパ５５ａ，５５ｂ，５５ｃ，５５ｄが設けられている。
【００３４】
前記各接点板３７ａ，３７ｂ，３７ｃ，３７ｄはハウジング３５に支持され、それぞれ反転ばねで形成されてばね力により反転変形及び反転変形の復帰が可能な構成となっている。接点板３７ａ，３７ｂ，３７ｃ，３７ｄはそれぞれ同一形状に形成され、接点板３７ａ，３７ｂはパワーウインドウをダウン動作させるダウン動作側の一対の接点板を構成し、接点板３７ｃ，３７ｄはパワーウインドウをアップ動作させるアップ動作側の一対の接点板を構成している。
【００３５】
前記接点板３７ａ，３７ｂ、接点板３７ｃ，３７ｄは、それぞれ対向配置されているが、前記のように同一形状に形成されている。従って、図３を主に用い接点板３７ｄを代表してその詳細形状を説明する。
【００３６】
前記接点板３７ｄは湾曲した反転部５７ａ，５７ｂと該反転部５７ａ，５７ｂと同方向に湾曲した接触作用部５９とからなっている。反転部５７ａ，５７ｂと接触作用部５９とは、各々端部でのみ一体に結合されている。前記接触作用部５９の湾曲は前記反転部５７ａ，５７ｂの湾曲に対しより大きな曲率となっており、接触作用部５９が反転部５７ａ，５７ｂよりも突出した形状となっている。反転部５７ａ，５７ｂは前記接触作用部５９の両側に形成され、バランスの良い形態となっている。接触作用部５９は中間部に折り曲げ形成された撓み部６１を備えている。
【００３７】
前記接点板３７ｄには更に、一端部にＬ字状に折り曲げ形成された支持固定部６３が設けられ、他端部に可動接点６５を備えている。可動接点６５は、前記接触作用部５９の先端側に配置され、接点板３７ｄの幅方向において中央に設定され、接点板３７ｄの両面に突出する形状に形成されている。
【００３８】
この接点板３７ｄは、ハウジング３５の開口４１から挿入され、支持固定部６３が嵌合溝５３ｂに差し込まれ、一端部がハウジング３５側に支持された構成となっている。この状態で、可動接点６５は接点ストッパ５５ｄに当接して位置決められている。
【００３９】
またその他の接点板３７ａ，３７ｂ，３７ｃも接点板３７ｄと同様にしてハウジング３５内に支持されている。すなわち接点板３７ａは前記接点板３７ｄとは逆向きに配置され、支持固定部６３が嵌合溝５３ａに差し込まれている。前記接点板３７ｂは接点板３７ａとは逆向きに対向配置され、接点板３７ｃは接点板３７ｄとは逆向きに対向配置され、各接点板３７ｂ，３７ｃの支持固定部６３が嵌合溝５３ｃに共に差し込まれている。接点板３７ａの可動接点６５は接点ストッパ５５ａに当接し、接点板３７ｂの可動接点６５は接点ストッパ５５ｂに当接し、接点板３７ｃの可動接点６５は接点ストッパ５５ｃに当接し、それぞれ位置決められている。
【００４０】
前記接触部材３９ａ，３９ｂは前記ハウジング３５側に支持され、前記各接点板３７ａ，３７ｂと各接点板３７ｃ，３７ｄとにそれぞれ接しながらスイッチノブ３の操作で各接点板３７ａ，３７ｂと各接点板３７ｃ，３７ｄとに対する接触位置をそれぞれ変える構成となっている。
【００４１】
前記ハウジング３５には、接点板３７ａ，３７ｂ間と接点板３７ｃ，３７ｄ間とにそれぞれ対応した位置で壁部６７に支持穴６９ａ，６９ｂが設けられている。支持穴６９ａ，６９ｂの周囲には、壁部６７内面においてボス部７１ａ，７１ｂが突設されている。また支持穴６９ａ，６９ｂ内には回り止め用の凹条７３が軸方向に沿って設けられている。
【００４２】
前記接触部材３９ａ，３９ｂは同一形状に形成されている。接触部材３９ｂを図３を用いて説明すると、接触部材３９ｂは接触部７５と軸部７７とからなっている。接触部７５は断面略楕円形状に形成されている。この接触部７５の断面略楕円形状により、接触作用部５９の変形量を大きく確保しながら、モジュールスイッチ２３の厚み（図１紙面直交方向）を小さくすることができる。軸部７７の両側には、回り止め用の凸条７９が軸方向に沿って設けられている。これら接触部材３９ａ，３９ｂはハウジング３５の開口４１側から前記接点板３７ａ，３７ｂ，３７ｃ，３７ｄに対し先行して組み込まれ、軸部７７が支持穴６９ａ，６９ｂに挿入され、該軸部７７が支持穴６９ａ，６９ｂに対し移動自在に支持される。この支持状態で、各軸部７７の凸条７９が支持穴６９ａ，６９ｂの凹条７３に嵌合し、ハウジング３５に対する接触部材３９ａ，３９ｂの回り止めが行われる。この回り止め状態で各接触部材３９ａ，３９ｂの各接触部７５はその長径方向が各接点板３７ａ，３７ｂ方向、各接点板３７ｃ，３７ｄ方向にそれぞれ向いた配置構成となっている。
【００４３】
前記ハウジング３５の壁部６７には、図４のように貫通孔８１が形成され、前記各接点板３７ａ，３７ｂ，３７ｃ，３７ｄに対し回路構成された前記各端子２５が貫通孔８１から壁部６７外へ突出配置されている。
【００４４】
かかるモジュールスイッチ２３が、図１，図２のようにケース７内に取り付けられると、各接触部材３９ａ，３９ｂの軸部７７がスライダ２７のカム凹部３３ａ，３３ｂに当接し、各接触部材３９ａ，３９ｂの各接触部７５が接点板３７ａ，３７ｂ、接点板３７ｃ，３７ｄの各接触作用部５９にそれぞれ接触する。
【００４５】
そして前記スイッチノブ３の操作に基づき、前記接触部材３９ａ，３９ｂが前記各接点板３７ａ，３７ｂ、各接点板３７ｃ，３７ｄに対し接触位置を変え、各接点板３７ａ，３７ｂ，３７ｃ，３７ｄを反転変形及び反転変形の復帰により接近離反変位させて前記対向する各可動接点６５相互を接離させる。
【００４６】
すなわち前記スイッチノブ３を押圧操作し、図１において支持ピン１１回りに反時計方向へ回転させるようにスイッチノブ３を揺動操作すると、操作レバー部５によりスライダ２７の操作凹部２９が係合力を受け、スライダ２７が図中右方向へ移動する。スライダ２７が移動するとカム凹部３３ａ，３３ｂが接触部材３９ａ，３９ｂの軸部７７に対して相対的に移動する。
【００４７】
前記カム凹部３３ａ，３３ｂの移動により、カム凹部３３ａ側では接触部材３９ａの軸部７７がスライド部３４ａに接したままであり、接触部材３９ａの押圧方向への接触位置関係が変化せず、接触部材３９ａはそのままの位置を保持する。
【００４８】
一方、カム凹部３３ｂ側では、接触部材３９ｂの軸部７７にカム凹部３３ｂの乗上部３４ｂが乗り上げる状態となり、軸部７７が凸条７９及び凹条７３により回り止めガイドされながら支持穴６９ｂに沿って移動し、接触部材３９ｂが接点板３７ｃ，３７ｄ側へ移動する。この移動によって、接触部材３９ｂの接触部７５が各接点板３７ｃ，３７ｄの各接触作用部５９に対して移動し、接触位置を変える。この接触作用部５９に対する接触部７５の接触位置の変化により、接触作用部５９が接点板３７ｃ，３７ｄ間の間隔を広げる方向に押圧される。各接触作用部５９が前記押圧を受けると接触作用部５９がその湾曲を伸ばすように変形し、各接触作用部５９の撓み部６１がその折り曲げ角を狭めるように撓められ、ある時点で各反転部５７ａ，５７ｂの湾曲部が逆方向となるように反転変形する。各接点板３７ｃ，３７ｄの反転部５７ａ，５７ｂが反転変形すると、各接点板３７ｃ，３７ｄの可動接点６５側が接近変位し、接点板３７ｃ，３７ｄの可動接点６５相互が接触する。この接点板３７ｃ，３７ｄの反転作用を図６を用いてさらに説明する。
【００４９】
図６は、接点板３７ａ，３７ｃの要部概略断面図を示し、（ａ）は反転前の断面図、（ｂ）は反転途中の断面図、（ｃ）は反転後の断面図である。なお接点板３７ｂ，３７ｄは向きが逆であるけれども、反転作用は同一であるため符号に括弧をして示し、説明を代用する。
【００５０】
前記のように、図６（ａ）の接点板３７ａ，３７ｃに対し、接触部材３９ｂが移動して接触作用部５９に対する接触位置が変わると、接触作用部５９が前記接触部７５から図６（ｂ）のように力Ｆ１を受けて変形する。このとき、接点板３７ａでは、力Ｆ１の作用点外方である接触作用部５９及び反転部５７ａ，５７ｂの上端側で前記ハウジング３５の壁部４５ａ内面により位置が拘束され、同じく可動接点６５側で接点ストッパ５５ａにより位置が拘束される。接点板３７ｃでは、力Ｆ１の作用点外方である接触作用部５９及び反転部５７ａ，５７ｂの上端側で背中合わせの接点板３７ｂの接触作用部５９及び反転部５７ａ，５７ｂの上端側により位置が拘束され、同じく可動接点６５側で接点ストッパ５５ｃにより位置が拘束される。このため、以下のようにして反転部５７ａ，５７ｂの反転力が生じる。
【００５１】
すなわち、前記変形によって、撓み部６１がその折り曲げ角度を狭めるように撓み変形する。この撓み部６１の撓み変形によって、接触作用部５９の下端側が撓み部６１を中心としてｆ１の回転力を受ける。接触部材３９ｂがさらに押し込められると、前記接触部７５は接触作用部５９に対する接触位置をさらに変化させ、撓み部６１がさらに変形して接触作用部５９の下端側が受ける力ｆ１が増大する。このような変形により力ｆ１が図６（ｃ）のようにｆ２に達するとその時点で反転部５７ａ，５７ｂが一気に反転する。接点板３７ｃ，３７ｄのこのような反転変形により、前記のように可動接点６５が離間状態から瞬時に接触する。
【００５２】
前記スイッチノブ３が図１，図２の中立状態へ復帰すると、接触部材３９ｂは接点板３７ｃ，３７ｄの各接触作用部５９の戻り力によって各接点板３７ｃ，３７ｄ間から押しのけられるように移動する。これによって各接点板３７ｃ，３７ｄの撓み部６１の変形が元の状態に戻り、反転部５７ａ，５７ｂがばね力を持って反転を復帰させ、図６（ｃ）の状態から図６（ｂ），図６（ａ）の状態へと反転変形の復帰が一気に行われる。これによって接点板３７ｃ，３７ｄの各可動接点６５が瞬時に離反する。
【００５３】
前記スイッチノブ３が引き上げられたときには、前記とは逆に接触部材３９ｂの軸部７７がカム凹部３３ｂのスライド部３４ａに接したままとなり、接触部材３９ｂの押圧方向への接触位置関係が変化せず、接触部材３９ｂはそのままの位置を保持する。
【００５４】
一方、接触部材３９ａの軸部７７は、カム凹部３３ａの乗上部３４ｂを乗り上げて接点板３７ａ，３７ｂ間方向へ移動する。この移動により接点板３７ａ，３７ｂに対する接触部材３９ａの接触部７５の接触位置が変化し、接点板３７ａ，３７ｂが前記同様図６のように反転変形する。
【００５５】
前記スイッチノブ３から指が離されたときには、前記接点板３７ｃ，３７ｄと同様にして接点板３７ａ，３７ｂが反転変形の復帰を一気に行い、接点板３７ａ，３７ｂの各可動接点６５が瞬時に離反する。
【００５６】
なお、スイッチノブ３の押圧操作、引き上げ操作後に指を離したときには、図２で示すコイルスプリング１７の付勢力による節度ボール１５の節度溝１９に対する弾接によって、スイッチノブ３が前記したように図１，図２の中立状態へ自動復帰する。
【００５７】
前記スイッチノブ３の押圧操作、押圧操作解除、引き上げ操作、引き上げ操作解除による接点板３７ｃ，３７ｄの可動接点６５の接離、接点板３７ａ，３７ｂの可動接点６５の接離によりパワーウインドウ装置のパワーウインドウモータへの電流が給断される。従って、接点板３７ｃ，３７ｄ側では例えばパワーウインドウのダウン動作及びダウン動作の停止が行われる。接点板３７ａ，３７ｂ側ではパワーウインドウのアップ動作及びアップ動作の停止が行われる。
【００５８】
そして、前記可動接点６５間の接点接触スピード及び接点開離スピードは、スイッチノブ３の操作に応じた１対１の動作ではなく、各接点板３７ａ，３７ｂ，３７ｃ，３７ｄのばね力を持った反転変形及び反転変形の復帰に依存するため、接点板３７ａ，３７ｂ，３７ｃ，３７ｄが図６の（ａ）の状態から（ｃ）の状態へ一気に反転し、同（ｃ）の状態から（ａ）の状態へ一気に反転を復帰し、可動接点６５相互は高速の接点接触スピードで接触し、高速の接点開離スピードで離間する。このためスイッチノブ３の操作がゆっくり行われたとしても、可動接点６５相互の接点開離スピードは極めて速く、アーク放電を確実に抑制することができる。これによって接点消耗等を抑制し、耐久性を大幅に高めることができる。
【００５９】
前記接点板３７ａ，３７ｂ、接点板３７ｃ，３７ｄのそれぞれの可動接点６５相互の接離は、固定接点に対する可動接点の接離とは異なり、可動接点６５相互間で行われる。このため、固定接点に対する可動接点の反転変形及び反転変形の復帰による接離に比較して倍の接点接触スピード及び接点開離スピードを得ることができ、アーク放電をより確実に抑制することができる。また図１等の接点離間状態では可動接点６５相互間のギャップを大きく確保することができる。これらによって接点消耗等をより確実に抑制し、耐久性を大幅に高めることができる。
【００６０】
前記スイッチノブ３を操作の途中で停止させても、接点板３７ａ，３７ｂ，３７ｃ，３７ｄの反転変形或いは反転変形の復帰によって可動接点６５相互間の接離が高い接点接触スピード及び接点開離スピードで自動的に行われ、かかる点からも接点消耗等を抑制し、耐久性を大幅に向上することができる。
【００６１】
上記実施形態では、スライダ２７を用いているため、接触作用部５９に接触している接触部材３９ａ，３９ｂを接触作用部５９の弾発力を利用してカム凹部３３ａ，３３ｂに密に当接させることができる。これによってスライダ２７、接触部材３９ａ，３９ｂ、接点板３７ａ，３７ｂ，３７ｃ，３７ｄ間のがたつきを防止することができる。従って、スイッチノブ３とスライダ２７との間に多少のがたつきが存在しても、スイッチノブ３の操作によりスライダ２７を移動させることで接点板３７ａ，３７ｂ，３７ｃ，３７ｄの反転変形及び反転変形の復帰をがたつき無く行わせることができる。これによって可動接点６５相互の高速の接点接触スピード及び接点開離スピードによる接離を確実に行わせることができる。
【００６２】
前記各接点板３７ａ，３７ｂ，３７ｃ，３７ｄは、各接触作用部５９の撓み部６１を撓め、該撓みに基づく各反転部５７ａ，５７ｂの反転変形及び反転変形の復帰により前記可動接点６５を接離させることができる。従って、各接触作用部５９の変位を少なくしながら反転部５７ａ，５７ｂの反転変形及び反転変形の復帰を確実に行わせることができる。このため、狭いスペースでも各接点板３７ａ，３７ｂ，３７ｃ，３７ｄの反転変形及び反転変形の復帰を確実に行わせることができ、スイッチ全体をコンパクトに形成することができる。
【００６３】
前記反転部５７ａ，５７ｂは前記接触作用部５９の両側に形成されているため、力のバランスが良く、接触作用部５９によって反転部５７ａ，５７ｂを確実に反転させることができる。また可動接点６５は前記各接触作用部５９の先端側に配置されているため、反転部の反転変形及び反転変形の復帰によって接点接触スピード及び接点開離スピードを確実に速くすることができ、また可動接点６５相互間のギャップを確実に確保することができる。
【００６４】
なお、上記スイッチはパワーウインドウスイッチ１として説明したが、シートスイッチ等その他のスイッチとして適用することもできる。またスライダ２７を省略し、接触部材３９ａ，３９ｂを直接押圧操作する押しボタンスイッチとして構成することも可能である。各接点板３７ａ，３７ｂ，３７ｃ，３７ｄの反転部５７ａ，５７ｂの位置に接触作用部５９を配置すると共に、接触作用部５９の位置に反転部５７ａ，５７ｂを配置することで反転部の両側に接触作用部を設ける構成にすることも可能である。
【図面の簡単な説明】
【図１】本発明の一実施形態に係るパワーウインドウスイッチの一部を示す断面図である。
【図２】一実施形態に係り、パワーウインドウスイッチの一部を示す他の位置における断面図である。
【図３】一実施形態に係り、モジュールスイッチの分解斜視図である。
【図４】一実施形態に係り、モジュールスイッチの平面図である。
【図５】一実施形態に係り、図４のＳＡ−ＳＡ矢視断面図である。
【図６】一実施形態に係り、接点板の要部概略断面図を示し、（ａ）は反転前の断面図、（ｂ）は反転途中の断面図、（ｃ）は反転後の断面図である。
【図７】従来例に係るシーソースイッチの断面図である。
【図８】従来例に係るスライドスイッチの断面図である。
【符号の説明】
１　パワーウインドウスイッチ（スイッチ）
３　スイッチノブ
３５　ハウジング
３７ａ，３７ｂ，３７ｃ，３７ｄ　接点板
３９ａ，３９ｂ　接触部材
５７ａ，５７ｂ　反転部
５９　接触作用部
６１　撓み部
６５　可動接点
【図１】
2004111261.tif 000003
【図２】
2004111261.tif 000004
【図３】
2004111261.tif 000005
【図４】
2004111261.tif 000006
【図５】
2004111261.tif 000007
【図６】
2004111261.tif 000008
【図７】
2004111261.tif 000009
【図８】
2004111261.tif 000010